【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
コンピュータが、プレス成形の成形条件を数値解析して、プレス成形品の成形データを得るプレス成形解析ステップと、
コンピュータが、前記プレス成形品の成形データのうち、前記プレス成形品の一部の領域の物性値である板厚または弾性係数のデータの少なくとも一つに対して演算処理を行う演算処理ステップと、
コンピュータが、前記演算処理の結果に基づいて、スプリングバック量を算出するスプリングバック量算出ステップと、
を有することを特徴とするスプリングバック発生原因特定方法。
【請求項２】
コンピュータが、プレス成形の成形条件を数値解析して、プレス成形品の成形データを得るプレス成形解析ステップと、
コンピュータが、前記プレス成形品の成形データのうち、前記プレス成形品の一部の領域の応力成分全てではない応力成分値のデータの少なくとも一つに対して演算処理を行う演算処理ステップと、
コンピュータが、前記演算処理の結果に基づいて、スプリングバック量を算出するスプリングバック量算出ステップと、
を有することを特徴とするスプリングバック発生原因特定方法。
【請求項３】
コンピュータが、プレス成形の成形条件を数値解析して、プレス成形品の成形データを得るプレス成形解析ステップと、
コンピュータが、前記プレス成形品の成形データのうち、前記プレス成形品の一部の領域の歪の成分値のデータの少なくとも一つに対して演算処理を行う演算処理ステップと、
コンピュータが、前記演算処理の結果に基づいて、スプリングバック量を算出するスプリングバック量算出ステップと、
を有することを特徴とするスプリングバック発生原因特定方法。
【請求項４】
請求項１〜３のスプリングバック発生原因特定方法において、前記演算処理ステップ及びスプリングバック量算出ステップを、前記一部の領域を変えて繰り返し行うことによって、前記スプリングバック量が最も小さくなるとき、又は前記演算処理を行わずにスプリングバック解析をおこなったときのスプリングバック量との差が最も大きくなるときの前記領域、物性値及び物理量を特定するステップを有するスプリングバック発生原因特定方法。
【請求項５】
請求項１〜３のスプリングバック発生原因特定方法において、前記演算処理ステップ及びスプリングバック量算出ステップを、前記物性値及び物理量の少なくとも一つ、及び／又は、前記演算処理を変えて繰り返し行うことによって、前記スプリングバック量が最も小さくなるとき、又は前記演算処理を行わずにスプリングバック解析をおこなったときのスプリングバック量との差が最も大きくなるときの前記領域、物性値及び物理量を特定するステップを有するスプリングバック発生原因特定方法。
【請求項６】
請求項１〜５のスプリングバック発生原因特定方法において、前記一部の領域は、複数の領域であって、それぞれの領域について前記演算処理を同時に行うスプリングバック発生原因特定方法。
【請求項７】
前記一部の領域は、一個以上の要素または計算単位区分である請求項１〜６のいずれか一項に記載のスプリングバック発生原因の特定方法。
【請求項８】
前記一部の領域は、一個以上の積分点である請求項１〜６のいずれか１項に記載のスプリングバック発生原因の特定方法。
【請求項９】
プレス成形の成形条件を数値解析して、プレス成形品の成形データを得るプレス成形解析部と、
前記成形データを数値解析して、スプリングバック量を算出するスプリングバック解析部と、
前記プレス成形品の成形データのうち、前記プレス成形品の一部の領域の物性値である板厚または弾性係数のデータの少なくとも一つに対して演算処理を行ない、前記スプリングバック解析部に、前記演算処理の結果に基づくスプリングバック量を算出させる演算処理部と、
を有することを特徴とするスプリングバック発生原因特定装置。
【請求項１０】
プレス成形の成形条件を数値解析して、プレス成形品の成形データを得るプレス成形解析部と、
前記成形データを数値解析して、スプリングバック量を算出するスプリングバック解析部と、
前記プレス成形品の成形データのうち、前記プレス成形品の一部の領域の応力成分全てではない応力成分値のデータの少なくとも一つに対して演算処理を行ない、前記スプリングバック解析部に、前記演算処理の結果に基づくスプリングバック量を算出させる演算処理部と、
を有することを特徴とするスプリングバック発生原因特定装置。
【請求項１１】
プレス成形の成形条件を数値解析して、プレス成形品の成形データを得るプレス成形解析部と、
前記成形データを数値解析して、スプリングバック量を算出するスプリングバック解析部と、
前記プレス成形品の成形データのうち、前記プレス成形品の一部の領域の歪の成分値のデータの少なくとも一つに対して演算処理を行ない、前記スプリングバック解析部に、前記演算処理の結果に基づくスプリングバック量を算出させる演算処理部と、
を有することを特徴とするスプリングバック発生原因特定装置。
【請求項１２】
請求項９〜１１記載のスプリングバック発生原因特定装置において、前記演算処理部は、前記演算処理の結果及びスプリングバック量の算出を、前記一部の領域を変えて繰り返し行うことによって、前記スプリングバック量が最も小さくなるとき、又は前記演算処理を行わずにスプリングバック解析をおこなったときのスプリングバック量との差が最も大きくなるときの前記領域、物性値及び物理量を特定するスプリングバック発生原因特定装置。
【請求項１３】
請求項９〜１１記載のスプリングバック発生原因特定装置において、前記演算処理部は、前記演算処理の結果及びスプリングバック量の算出を、前記物性値及び物理量、及び／又は、前記演算処理を変えて繰り返し行うことによって、前記スプリングバック量が最も小さくなるとき、又は前記演算処理を行わずにスプリングバック解析をおこなったときのスプリングバック量との差が最も大きくなるときの前記領域、物性値及び物理量を特定するスプリングバック発生原因特定装置。
【請求項１４】
請求項９〜１３記載のスプリングバック発生原因特定装置において、前記一部の領域は、複数の領域であって、それぞれの領域について前記演算処理を同時に行うスプリングバック発生原因特定装置。
【請求項１５】
プレス成形の成形条件を数値解析して、プレス成形品の成形データを得るプレス成形解析手順と、
前記プレス成形品の成形データのうち、前記プレス成形品の一部の領域の物性値である板厚または弾性係数のデータの少なくとも一つに対して演算処理を行う演算処理手順と、
前記演算処理の結果に基づいて、スプリングバック量を算出するスプリングバック量算出手順と、
をコンピュータに実行させることを特徴とするスプリングバック発生原因特定プログラム。
【請求項１６】
プレス成形の成形条件を数値解析して、プレス成形品の成形データを得るプレス成形解析手順と、
前記プレス成形品の成形データのうち、前記プレス成形品の一部の領域の応力成分全てではない応力成分値のデータの少なくとも一つに対して演算処理を行う演算処理手順と、
前記演算処理の結果に基づいて、スプリングバック量を算出するスプリングバック量算出手順と、
をコンピュータに実行させることを特徴とするスプリングバック発生原因特定プログラム。
【請求項１７】
プレス成形の成形条件を数値解析して、プレス成形品の成形データを得るプレス成形解析手順と、
前記プレス成形品の成形データのうち、前記プレス成形品の一部の領域の歪の成分値のデータの少なくとも一つに対して演算処理を行う演算処理手順と、
前記演算処理の結果に基づいて、スプリングバック量を算出するスプリングバック量算出手順と、
をコンピュータに実行させることを特徴とするスプリングバック発生原因特定プログラム。
【請求項１８】
請求項１５〜１７記載のスプリングバック発生原因特定プログラムにおいて、前記演算処理手順、及び、前記スプリングバック量算出手順を、前記一部の領域を変えて繰り返し行うことによって、前記スプリングバック量が最も小さくなるとき、又は前記演算処理を行わずにスプリングバック解析をおこなったときのスプリングバック量との差が最も大きくなるときの前記領域、物性値及び物理量を特定する手順を有するスプリングバック発生原因特定プログラム。
【請求項１９】
請求項１５〜１７記載のスプリングバック発生原因特定プログラムにおいて、前記演算処理手順、及び、前記スプリングバック量算出手順を、前記物性値及び物理量の少なくとも一つ及び前記演算処理を変えて繰り返し行うことによって、前記スプリングバック量が最も小さくなるとき、又は前記演算処理を行わずにスプリングバック解析をおこなったときのスプリングバック量との差が最も大きくなるときの前記領域、物性値及び物理量を特定する手順を有するスプリングバック発生原因特定プログラム。
【請求項２０】
請求項１５〜１９記載のスプリングバック発生原因特定プログラムにおいて、前記一部の領域は、複数の領域であって、それぞれの領域について前記演算処理を同時に行うスプリングバック発生原因特定プログラム。
【請求項２１】
プレス成形の成形条件を数値解析して、プレス成形の成形データ及びスプリングバック量を算出する手順をコンピュータに実行させる数値解析プログラムと協働するスプリングバック発生原因特定プログラムであって、
前記数値解析プログラムから、前記成形データを取得する手順と、
前記プレス成形品の成形データのうち、前記プレス成形品の一部の領域の物性値である板厚または弾性係数の少なくとも一つに対して演算処理を行なう手順と、
前記数値解析プログラムを実行するコンピュータに、前記演算処理の結果を出力し、かつ、前記数値解析プログラムを実行するコンピュータからスプリングバック量を取得する手順と、
をコンピュータに実行させることを特徴とするスプリングバック発生原因特定プログラム。
【請求項２２】
プレス成形の成形条件を数値解析して、プレス成形の成形データ及びスプリングバック量を算出する手順をコンピュータに実行させる数値解析プログラムと協働するスプリングバック発生原因特定プログラムであって、
前記数値解析プログラムから、前記成形データを取得する手順と、
前記プレス成形品の成形データのうち、前記プレス成形品の一部の領域の応力成分全てではない応力成分値のデータの少なくとも一つに対して演算処理を行なう手順と、
前記数値解析プログラムを実行するコンピュータに、前記演算処理の結果を出力し、かつ、前記数値解析プログラムを実行するコンピュータからスプリングバック量を取得する手順と、
をコンピュータに実行させることを特徴とするスプリングバック発生原因特定プログラム。
【請求項２３】
プレス成形の成形条件を数値解析して、プレス成形の成形データ及びスプリングバック量を算出する手順をコンピュータに実行させる数値解析プログラムと協働するスプリングバック発生原因特定プログラムであって、
前記数値解析プログラムから、前記成形データを取得する手順と、
前記プレス成形品の成形データのうち、前記プレス成形品の一部の領域の歪の成分値のデータの少なくとも一つに対して演算処理を行なう手順と、
前記数値解析プログラムを実行するコンピュータに、前記演算処理の結果を出力し、かつ、前記数値解析プログラムを実行するコンピュータからスプリングバック量を取得する手順と、
をコンピュータに実行させることを特徴とするスプリングバック発生原因特定プログラム。
【請求項２４】
請求項２１〜２３記載のスプリングバック発生原因特定プログラムにおいて、前記演算処理手順、及び、前記スプリングバック量算出手順を、前記一部の領域を変えて繰り返し行うことによって、前記スプリングバック量が最も小さくなるとき、又は前記演算処理を行わずにスプリングバック解析をおこなったときのスプリングバック量との差が最も大きくなるときの前記領域、物性値及び物理量を特定する手順を有するスプリングバック発生原因特定プログラム。
【請求項２５】
請求項２１〜２３記載のスプリングバック発生原因特定プログラムにおいて、前記演算処理手順、及び、前記スプリングバック量算出手順を、前記物性値及び物理量の少なくとも一つ及び前記演算処理を変えて繰り返し行うことによって、前記スプリングバック量が最も小さくなるとき、又は前記演算処理を行わずにスプリングバック解析をおこなったときのスプリングバック量との差が最も大きくなるときの前記領域、物性値及び物理量を特定する手順を有するスプリングバック発生原因特定プログラム。
【請求項２６】
請求項１５〜２５のいずれか一項に記載のスプリングバック発生原因特定プログラムを記録したことを特徴とするコンピュータ読み取り可能な記録媒体。